(57)【要約】【課題】パルス強度検出のデッドタイムを正確に特定することができるパルス処理装置、及び放射線検出装置を提供する。【解決手段】パルス処理装置は、入力されたパルスを三角波信号へ変換し、三角波信号の信号値が閾値からピーク値に達するまでの第１立ち上がり時間ｔ1 を計測する。第１立ち上がり時間ｔ1 を底辺とし、ピーク値Ｐから閾値Ｌを減算した値を高さとする三角形と、信号値が信号基準からピーク値に達するまでの第２立ち上がり時間Ｔ1 を底辺とし、ピーク値Ｐを高さとする三角形とは相似であり、第１立ち上がり時間ｔ1 と第２立ち上がり時間Ｔ1 との比は、ピーク値Ｐから閾値Ｌを減算した値とピーク値Ｐとの比で表される。このため、第１立ち上がり時間ｔ1 及びピーク値Ｐから、計測が困難である第２立ち上がり時間Ｔ1 が求められ、第２立ち上がり時間Ｔ1 を含むデッドタイムＴD が特定される。【選択図】図４
2015025717.tif 000002
【特許請求の範囲】
【請求項１】
パルスが入力され、入力されたパルスをノイズ低減のためのフィルタに通して前記パルスを所定波形の三角波信号へ変換する変換部と、該変換部が変換した三角波信号のピーク値を検出する検出手段とを備えるパルス処理装置において、
前記変換部が変換した三角波信号の信号値が所定の閾値を超えてからピーク値に達するまでの第１立ち上がり時間、前記三角波信号の信号値がピーク値から前記閾値以下になるまでの第１立下り時間、又は前記第１立ち上がり時間及び前記第１立下り時間を合計した第１合計時間を計測する計測手段と、
前記第１立ち上がり時間、前記第１立下り時間又は前記第１合計時間、並びに前記検出手段が検出したピーク値及び前記閾値に基づいて、デッドタイムを特定する特定手段と
を備えることを特徴とするパルス処理装置。
【請求項２】
前記デッドタイムは、前記三角波信号の信号値が所定の信号基準から立ち上がってピーク値に達するまでの第２立ち上がり時間と、前記三角波信号の信号値がピーク値から前記信号基準に戻るまでの第２立下り時間とを合計した第２合計時間に、前記第２立ち上がり時間を加算した時間であること
を特徴とする請求項１に記載のパルス処理装置。
【請求項３】
第１立ち上がり時間、第１立下り時間又は第１合計時間と三角波信号のピーク値との組み合わせに対応づけて、前記デッドタイムの値を記憶している記憶部を更に備え、
前記特定手段は、前記計測手段が計測した第１立ち上がり時間、第１立下り時間又は第１合計時間と前記検出手段が検出したピーク値との組み合わせに対応づけられた前記デッドタイムの値を前記記憶部から読み出すように構成してあること
を特徴とする請求項１又は２に記載のパルス処理装置。
【請求項４】
前記特定手段は、前記計測手段が計測した第１立ち上がり時間ｔ1 、前記検出手段が検出したピーク値Ｐ、前記閾値Ｌ、及び三角波信号の立ち上がり時間に対する立下り時間の比率Ｒを用いて、前記デッドタイムを（２＋Ｒ）ｔ1 ・Ｐ／（Ｐ−Ｌ）と計算するように構成してあること
を特徴とする請求項２に記載のパルス処理装置。
【請求項５】
放射線検出時に放射線のエネルギーに応じたパルスを出力する放射線検出器と、
該放射線検出器が出力したパルスを入力され、入力されたパルスを変換した三角波信号のピーク値を検出し、ピーク値検出のデッドタイムを特定する請求項１乃至４の何れか一つに記載のパルス処理装置と、
該パルス処理装置が特定した前記デッドタイムを用いて、放射線検出時の経過時間を補正する手段と
を備えることを特徴とする放射線検出装置。
【発明の詳細な説明】
【技術分野】
【０００１】
本発明は、放射線の検出によって発生するパルスに基づいて放射線のエネルギーを求めるためのパルス処理装置、及び放射線検出装置に関する。
【背景技術】
【０００２】
Ｘ線等の放射線を検出する放射線検出装置は、放射線検出器と、パルス処理装置とを備えている。放射線検出器は、半導体放射線検出素子等を用いて構成されており、放射線が検出される都度、パルスを出力する。放射線検出器が出力するパルスには、ノイズ成分が含まれている。パルス処理装置は、ノイズ成分を低減させてＳ／Ｎ（信号／ノイズ）比を向上させるために、パルスを三角波信号に整形するフィルタ処理を行う。次に、パルス処理装置は、三角波信号のピーク値を検出することによって、パルス強度を検出する。パルス強度は放射線のエネルギーに対応する。
【０００３】
また、パルス処理装置は、パルス強度検出のデッドタイムを検出する。デッドタイムは、一つのパルスの強度を検出するために必要な時間であり、また、その間は他のパルスの強度を検出することができなくなる時間である。フィルタ処理により整形した三角波信号のピーク値を正確に求めるためには、三角波信号が立ち上がる前に以前の三角波信号の立下りが終了していることが必要であり、また、三角波信号のピーク値を取得するまでに次の三角波信号が立ち上がらないことが必要である。従って、パルス強度を検出するためには、三角波信号の時間幅に三角波信号の立ち上がり時間を加えた時間が必要となる。一つのパルスの強度を検出するために必要な時間の間は、他のパルスの強度を検出することができない。このため、この時間はデッドタイムと呼ばれる。検出したデッドタイムは、放射線検出時の経過時間を補正するために用いられる。
【０００４】
デッドタイムを求めるためには、三角波信号がピーク値に達するまでの立ち上がり時間が必要である。フィルタ処理後の信号にもノイズ成分はある程度含まれているので、三角波信号の立ち上がりを検出することは困難である。特許文献１には、信号値が閾値を超えてからピーク値に達するまでの時間を三角波信号の立ち上がり時間として検出する技術が開示されている。
【先行技術文献】
【特許文献】
【０００５】
【特許文献１】特公平６−３８１０７号公報
【発明の概要】
【発明が解決しようとする課題】
【０００６】
従来技術では、信号値が閾値を超えてからピーク値に達するまでの時間を立ち上がり時間としているので、信号値がゼロから立ち上がってからの真の立ち上がり時間に比べて、検出した立ち上がり時間は短くなる。このため、パルス処理装置が検出するデッドタイムは不正確であり、真の値よりも短いという問題がある。検出するデッドタイムが不正確である結果、放射線検出時の経過時間の補正が不正確になり、放射線検出の精度が悪化する。
【０００７】
本発明は、斯かる事情に鑑みてなされたものであって、その目的とするところは、三角波信号の波形に基づいて正確にデッドタイムを特定することができるパルス処理装置、及び放射線検出装置を提供することにある。
【課題を解決するための手段】
【０００８】
本発明に係るパルス処理装置は、パルスが入力され、入力されたパルスをノイズ低減のためのフィルタに通して前記パルスを所定波形の三角波信号へ変換する変換部と、該変換部が変換した三角波信号のピーク値を検出する検出手段とを備えるパルス処理装置において、前記変換部が変換した三角波信号の信号値が所定の閾値を超えてからピーク値に達するまでの第１立ち上がり時間、前記三角波信号の信号値がピーク値から前記閾値以下になるまでの第１立下り時間、又は前記第１立ち上がり時間及び前記第１立下り時間を合計した第１合計時間を計測する計測手段と、前記第１立ち上がり時間、前記第１立下り時間又は前記第１合計時間、並びに前記検出手段が検出したピーク値及び前記閾値に基づいて、デッドタイムを特定する特定手段とを備えることを特徴とする。
【０００９】
本発明に係るパルス処理装置は、前記デッドタイムは、前記三角波信号の信号値が所定の信号基準から立ち上がってピーク値に達するまでの第２立ち上がり時間と、前記三角波信号の信号値がピーク値から前記信号基準に戻るまでの第２立下り時間とを合計した第２合計時間に、前記第２立ち上がり時間を加算した時間であることを特徴とする。
【００１０】
本発明に係るパルス処理装置は、第１立ち上がり時間、第１立下り時間又は第１合計時間と三角波信号のピーク値との組み合わせに対応づけて、前記デッドタイムの値を記憶している記憶部を更に備え、前記特定手段は、前記計測手段が計測した第１立ち上がり時間、第１立下り時間又は第１合計時間と前記検出手段が検出したピーク値との組み合わせに対応づけられた前記デッドタイムの値を前記記憶部から読み出すように構成してあることを特徴とする。
【００１１】
本発明に係るパルス処理装置は、前記特定手段は、前記計測手段が計測した第１立ち上がり時間ｔ1 、前記検出手段が検出したピーク値Ｐ、前記閾値Ｌ、及び三角波信号の立ち上がり時間に対する立下り時間の比率Ｒを用いて、前記デッドタイムを（２＋Ｒ）ｔ1 ・Ｐ／（Ｐ−Ｌ）と計算するように構成してあることを特徴とする。
【００１２】
本発明に係る放射線検出装置は、放射線検出時に放射線のエネルギーに応じたパルスを出力する放射線検出器と、該放射線検出器が出力したパルスを入力され、入力されたパルスを変換した三角波信号のピーク値を検出し、ピーク値検出のデッドタイムを特定する本発明のパルス処理装置と、該パルス処理装置が特定した前記デッドタイムを用いて、放射線検出時の経過時間を補正する手段とを備えることを特徴とする。
【００１３】
本発明においては、パルス処理装置は、入力されたパルスを三角波信号へ変換し、三角波信号の信号値が閾値からピーク値に達するまでの第１立ち上がり時間、信号値がピーク値から閾値以下になるまでの第１立下り時間、又は第１立ち上がり時間及び第１立下り時間を合計した第１合計時間を計測する。横軸を時間とし縦軸を信号値としたグラフ上では、第１立ち上がり時間、第１立下り時間又は第１合計時間を底辺とし、ピーク値から閾値を減算した値を高さとする三角形と、信号値が信号基準からピーク値に達するまでの第２立ち上がり時間、信号値がピーク値から信号基準へ戻るまでの第２立下り時間、又は第２立ち上がり時間及び第２立下り時間を合計した第２合計時間を底辺とし、ピーク値を高さとする三角形とは相似である。この相似関係によれば、第１立ち上がり時間、第１立下り時間又は第１合計時間と、第２立ち上がり時間、第２立下り時間又は第２合計時間との比は、ピーク値から閾値を減算した値とピーク値との比で表される。この関係に基づいて、第１立ち上がり時間、第１立下り時間又は第１合計時間から、計測が困難である第２立ち上がり時間、第２立下り時間又は第２合計時間が求められる。第２立ち上がり時間、第２立下り時間又は第２合計時間からは、三角波信号のピーク値の検出に伴うデッドタイムが求められる。従って、パルス処理装置は、第１立ち上がり時間、第１立下り時間又は第１合計時間、並びにピーク値及び閾値に基づいて、デッドタイムを特定することができる。放射線検出装置は、放射線検出器で放射線のエネルギーに応じたパルスを出力し、パルス処理装置でパルスの三角波信号への変換及びデッドタイムの特定を行い、デッドタイムを用いて放射線検出時の経過時間を補正する。
【００１４】
また、本発明においては、パルス処理装置は、第２合計時間に第２立ち上がり時間を加算した時間をデッドタイムとすることにより、正確なデッドタイムを特定することができる。
【００１５】
また、本発明においては、パルス処理装置は、第１立ち上がり時間、第１立下り時間又は第１合計時間と三角波信号のピーク値との組み合わせに対応づけて、デッドタイムの値を記憶しておき、計測した第１立ち上がり時間、第１立下り時間又は第１合計時間と検出したピーク値とに応じて、デッドタイムを読み出す。これにより、パルス処理装置は、迅速にデッドタイムを特定する。
【００１６】
また、本発明においては、パルス処理装置は、計測した第１立ち上がり時間及び検出したピーク値から、三角形の相似関係に基づいて、正確にデッドタイムを計算する。
【発明の効果】
【００１７】
本発明にあっては、パルス処理装置は、パルス強度検出の正確なデッドタイムを容易に特定する。従って、パルス処理装置を利用した放射線検出装置は、放射線検出時の経過時間を正確に補正することが可能となり、放射線検出の精度が向上する等、本発明は優れた効果を奏する。
【図面の簡単な説明】
【００１８】
【図１】放射線検出装置の機能構成を示すブロック図である。
【図２】放射線検出器が出力するパルス及び三角波信号の例を示す模式的特性図である。
【図３】デッドタイムを説明する説明図である。
【図４】デッドタイムを特定する方法を説明する説明図である。
【図５】パルス処理装置が実行する処理の手順を示すフローチャートである。
【図６】実施の形態３においてデッドタイムを特定する方法を説明する説明図である。
【発明を実施するための形態】
【００１９】
以下本発明をその実施の形態を示す図面に基づき具体的に説明する。
（実施の形態１）
図１は、放射線検出装置の機能構成を示すブロック図である。放射線検出装置は、放射線検出器１と、パルス処理装置２と、分析部３とを備えている。放射線検出器１は、放射線検出素子１１と、プリアンプ１２とを備えている。放射線検出素子１１は、ＳＤＤ（Silicon Drift Detector）等の半導体放射線検出素子であり、入射した放射線のエネルギーに応じた電荷を発生し、発生した電荷に応じたパルス電流を出力する。プリアンプ１２は、放射線検出素子１１が出力したパルス電流を電圧パルスに変換し、放射線検出時に一段のステップ状に信号値が上昇するパルスを生成する。放射線検出器１は、プリアンプ１２が生成したパルスを出力する。
【００２０】
パルス処理装置２は、ＤＰＰ（デジタルパルスプロセッサ）である。放射線検出器１が出力したパルスは、パルス処理装置２へ入力される。パルス処理装置２は、Ａ／Ｄ（アナログ／デジタル）変換部２１を備えている。Ａ／Ｄ変換部２１は、放射線検出器１からパルスを入力され、入力されたパルスをＡ／Ｄ変換する。Ａ／Ｄ変換部２１にはフィルタ部（変換部）２２が接続されている。フィルタ部２２は、パルスを所定のフィルタに通して三角波信号へ変換する処理を行う。フィルタ部２２での処理により、パルスに含まれるノイズが低減され、所定の増幅が行われる。
【００２１】
図２は、放射線検出器１が出力するパルス及び三角波信号の例を示す模式的特性図である。図中の横軸は時間を示し、縦軸は信号値を示している。図２Ａは放射線検出器１が出力するパルスを示している。放射線検出器１は、放射線を検出する都度、一段のステップ状に信号値が上昇するパルスを出力する。信号値が上昇するステップの高さを、パルス強度とする。パルス強度は放射線のエネルギーに対応する。図２Ｂは、図２Ａに示すステップ状のパルスをフィルタ部２２で変換した三角波信号を示す。三角波信号は、信号値がゼロになる所定の信号基準から信号値が一定の変化率でピーク値まで上昇し、更に信号値が一定の変化率で信号基準まで下降する信号である。信号基準は例えばゼロ電位である。三角波信号のピーク値はパルス強度に対応し、従って放射線のエネルギーに対応する。また、フィルタ部２２は、三角波信号の波形が予め定められた波形になるようにフィルタ処理の特性が定められている。例えば、フィルタ部２２は、三角波信号の波形が二等辺三角形になるようにフィルタ処理の特定が定められている。なお、放射線検出器１は、ステップ状のパルスを出力する形態に限らず、立ち上がり及び立下りを有するパルスを出力する形態であってもよい。この形態では、フィルタ部２２は、立ち上がり及び立下りを有するパルスを三角波信号に変化するように構成されている。
【００２２】
フィルタ部２２は、処理部２３に接続されている。処理部２３は、演算を行うプロセッサ及び演算に伴う一時的な情報を記憶するメモリを含んで構成されている。処理部２３には、不揮発性のメモリで構成された記憶部２４が接続されている。なお、記憶部２４は処理部２３の内部に備えられてあってもよい。処理部２３は、フィルタ部２２がパルスから変換した三角波信号のピーク値をピークホールドにより検出し、また、ピーク値検出のデッドタイムを特定する処理を行う。また、処理部２３は、時間を計測する機能を備えている。
【００２３】
図３は、デッドタイムを説明する説明図である。図中の横軸は時間を示し、縦軸は信号値を示している。実線で示した三角波信号と破線で示した三角波信号の時間幅は同一である。図中に実線で示す三角波信号のピーク値をピークホールドによって正確に求めるためには、三角波信号が立ち上がってピーク値に達するまでに他の三角波信号が重ならないことが必要である。このためには、三角波信号が立ち上がる前に以前の三角波信号の立下りが終了していることが必要である。また、三角波信号の信号値がピーク値に達するまでに次の三角波信号が立ち上がらないことが必要である。図３中には、実線で示す三角波信号のピーク値を正確に求めるために必要な条件を満たした以前の三角波信号及び次の三角波信号を破線で示している。図３に示す以前の三角波信号と次の三角波信号との時間間隔は、三角波信号の立ち上がり時間及び立下り時間の合計時間に更に立ち上がり時間を加算した時間である。この時間は、一つの三角波信号のピーク値を正確に求めるために必要な時間である。また、この時間中は、他の三角波信号のピーク値を検出することはできない。このため、この時間はデッドタイムと呼ばれる。一つのパルスの入力及び三角波信号のピーク値の検出に伴ってデッドタイムが発生し、このデッドタイムの間は、他にパルスの入力に応じた三角波のピーク値の検出ができない。放射線検出器１からパルス処理装置２へのパルスの入力に応じた三角波のピーク値の検出ができないので、このデッドタイムの間は、放射線検出装置は放射線を検出することができない。従って、ピーク値検出のデッドタイムは、放射線検出のデッドタイムになる。デッドタイムの間は実際には放射線検出が行われていないので、放射線の計数率を計算する際にはデッドタイムを考慮する必要がある。
【００２４】
更に、処理部２３には、ＭＣＡ（マルチチャネルアナライザ）２５が接続されている。処理部２３は、検出した三角波信号のピーク値をＭＣＡ２５へ入力し、ＭＣＡ２５は、ピーク値別に、三角波信号のピーク値を検出することによってパルスを検出した回数をカウントする。また、処理部２３は、特定したデッドタイムを用いて、放射線検出時の経過時間を補正する処理を行う。具体的には、処理部２３は、放射線検出時の経過時間を計測し、デッドタイムの間は時間計測を停止することにより、放射線検出時の経過時間からデッドタイムを差し引いた正味の放射線検出時間を計測する。パルス処理装置２は、三角波信号のピーク値とＭＣＡ２５がカウントしたカウント数との関係を示すデータ、及び補正後の放射線検出時間を示すデータを出力する。
【００２５】
分析部３は、パーソナルコンピュータ等のコンピュータで構成されている。分析部３は、パルス処理装置２が出力したデータを入力され、パルスのカウント数及び補正した放射線検出時間から、パルスに対応する放射線の計数率を計算する。また、分析部３は、三角波信号のピーク値とカウント数との関係から、三角波信号のピーク値が対応する放射線のエネルギーと放射線の計数率とを関係づけた放射線のスペクトルを生成する処理を行う。分析部３は、更に、生成した放射線のスペクトルに基づいて、放射線源の元素分析等の更なる処理を行ってもよい。
【００２６】
図４は、デッドタイムを特定する方法を説明する説明図である。図４には、横軸を時間とし縦軸を信号値としたグラフを示している。三角波信号の波形は二等辺三角形であるとする。三角波信号の真の立ち上がり時間は、図中に信号値ゼロで示した信号基準から信号値が立ち上がってピーク値に達するまでの第２立ち上がり時間Ｔ1 である。しかしながら、ノイズのために、信号基準からの立ち上がりを処理部２３が検出することは困難であり、第２立ち上がり時間Ｔ1 を直接に計測することは困難である。そこで、処理部２３は、予め所定の閾値Ｌを記憶しており、信号値が閾値Ｌを超えてからピーク値に達するまでの第１立ち上がり時間ｔ1 を計測する。また、処理部２３は、三角波信号のピーク値Ｐを検出する。ピーク値Ｐは、信号基準から三角波信号のピークまでの高さの値である。また、閾値Ｌは信号基準からの高さである。図４に示すグラフ上では、第１立ち上がり時間ｔ1 を底辺とし、ピーク値Ｐから閾値Ｌを減算した値を高さとする三角形と、第２立ち上がり時間Ｔ1 を底辺としピーク値Ｐを高さとする三角形とは、相似である。相似な三角形の底辺同士の比は、高さ同士の比と同一である。従って、第１立ち上がり時間ｔ1 と第２立ち上がり時間Ｔ1 との間には、下記の（１）式の関係が成り立つ。
ｔ1：Ｔ1＝（Ｐ−Ｌ）：Ｐ    …（１）
【００２７】
（１）式を整理すると、第２立ち上がり時間Ｔ1 は、下記の（２）式で表される。
Ｔ1＝ｔ1・Ｐ／（Ｐ−Ｌ）    …（２）
【００２８】
三角波信号の波形は二等辺三角形であるので、三角波信号の信号値がピーク値から閾値以下になるまでの第１立下り時間ｔ2 は、第１立ち上がり時間ｔ1 と同じ値である。同様に、三角波信号の信号値がピーク値から信号基準に戻るまでの第２立下り時間Ｔ2 は、第２立ち上がり時間Ｔ1 と同じ値である。デッドタイムＴD は、第２立ち上がり時間Ｔ1 及び第２立下り時間Ｔ2 を合計した時間に更に第２立ち上がり時間Ｔ1 を加算した時間である。従って、デッドタイムＴD は、下記の（３）式で表される。
ＴD＝（Ｔ1＋Ｔ2）＋Ｔ1 
＝３ｔ1・Ｐ／（Ｐ−Ｌ）    …（３）
【００２９】
（３）式によれば、デッドタイムＴDは、第１立ち上がり時間ｔ1 、ピーク値Ｐ及び閾値Ｌで表される。従って、処理部２３は、計測した第１立ち上がり時間ｔ1 、検出したピーク値Ｐ、及び予め記憶している閾値Ｌを用いて、デッドタイムＴD を計算することができる。実際には、第１立ち上がり時間ｔ1 、ピーク値Ｐ及び閾値Ｌを用いて予め計算したデッドタイムＴD の値を第１立ち上がり時間ｔ1 及びピーク値Ｐの組み合わせに対応づけて記録したルックアップテーブルを、記憶部２４が記憶している。処理部２３は、記憶部２４が記憶しているルックアップテーブルから、計測した第１立ち上がり時間ｔ1 及び検出したピーク値Ｐの組み合わせに対応づけられたデッドタイムＴD の値を読み出すことによって、デッドタイムＴD を特定する。ルックアップテーブルを用いることにより、デッドタイムＴD を迅速に特定することができる。
【００３０】
図４に示すように、従来技術で得られるデッドタイムは、第１立ち上がり時間ｔ1 及び第１立下り時間ｔ2 を合計した時間に更に第１立ち上がり時間ｔ1 を加算した時間である。このため、従来のデッドタイムは、真のデッドタイムＴD よりも短く、不正確である。本発明では、従来よりも正確なデッドタイムを容易に特定することが可能である。
【００３１】
図５は、パルス処理装置２が実行する処理の手順を示すフローチャートである。放射線検出素子１１に放射線が入射した場合に、放射線検出器１は、放射線のエネルギーに応じたパルスを出力し、パルス処理装置２にはステップ状のパルスが入力される（Ｓ１）。Ａ／Ｄ変換部２１は、入力されたパルスをＡ／Ｄ変換する（Ｓ２）。Ａ／Ｄ変換部２１は、Ａ／Ｄ変換したパルスをフィルタ部２２へ入力する。フィルタ部２２は、パルスに対してフィルタ処理を行う（Ｓ３）。フィルタ処理により、フィルタ部２２はパルスに含まれるノイズ成分を低減し、パルスを三角波信号へ変換する。フィルタ部２２は、三角波信号を処理部２３へ入力する。
【００３２】
処理部２３は、ピークホールドの処理により三角波信号のピーク値を検出し（Ｓ４）、信号値が閾値Ｌを超えてからピーク値に達するまでの第１立ち上がり時間ｔ1 を計測する（Ｓ５）。処理部２３は、次に、記憶部２４が記憶しているルックアップテーブルから、計測した第１立ち上がり時間ｔ1 及び検出したピーク値Ｐの組み合わせに対応づけられたデッドタイムＴD の値を読み出すことによって、デッドタイムＴD を特定する（Ｓ６）。なお、処理部２３は、Ｓ６で、計測した第１立ち上がり時間ｔ1 及び検出したピーク値Ｐから（３）式に従ってデッドタイムＴD を計算する処理を行ってもよい。処理部２３は、次に、特定したデッドタイムを用いて、放射線検出の経過時間を補正する（Ｓ７）。処理部２３は、検出した三角波信号のピーク値をＭＣＡ２５へ入力する。ＭＣＡ２５は、処理部２３から入力されたピーク値別に、三角波信号のピーク値を検出することによってパルスを検出した回数をカウントする（Ｓ８）。パルス処理装置２は、以上で処理を終了する。放射線検出器１からパルスが入力される都度、パルス処理装置２はＳ１〜Ｓ８の処理を実行する。
【００３３】
以上詳述した如く、本実施の形態においては、パルス処理装置２は、放射線検出器１から入力されたパルスを三角波信号へ変換し、三角波信号の第１立ち上がり時間と第２立ち上がり時間との比をピーク値から閾値を減算した値とピーク値との比で表した関係に基づいて、第１立ち上がり時間及びピーク値からピーク値検出のデッドタイムを求める。ピーク値から閾値を減算した値とピーク値との比を用いることにより、信号基準からの三角波信号の立ち上がり及び信号基準までの立下りを含んだ正確なデッドタイムを容易に特定することが可能である。放射線検出のデッドタイムを正確に特定することができるので、放射線検出時の経過時間を正確に補正して、正味の放射線検出時間及び放射線の計数率を正確に計測することが可能となり、放射線検出の精度が向上する。また、従来においても、デッドタイムを長めに見積もることによって、放射線検出の精度を向上させることが可能であったものの、放射線検出の効率が低下するという問題があった。本実施の形態においては、放射線検出のデッドタイムを正確に特定することができるので、デッドタイムが長すぎることがなく、放射線検出の精度を向上させながらも、放射線検出の効率の低下を防止することができる。
【００３４】
なお、フィルタ部２２がパルスを変換した三角波信号の波形は、二等辺三角形以外の三角形であってもよい。フィルタ部２２は、三角波信号の波形が、立ち上がり時間と立下り時間との比率が一定になる予め定められた波形になるようにフィルタ処理の特性が定められている。三角波信号の立ち上がり時間に対する立下り時間の比率をＲとする。第１立下り時間ｔ2 は、第１立ち上がり時間ｔ1 のＲ倍である。同様に、第２立下り時間Ｔ2 は、第２立ち上がり時間Ｔ1 のＲ倍である。従って、この形態のデッドタイムＴD は、下記の（４）式で表される。
ＴD＝（２＋Ｒ）ｔ1・Ｐ／（Ｐ−Ｌ）    …（４）
【００３５】
この形態においては、処理部２３は、Ｓ６で、第１立ち上がり時間ｔ1 、ピーク値Ｐ、比率Ｒ及び閾値Ｌから（４）式に従って得られるデッドタイムＴD を特定する処理を行う。この形態においても、処理部２３は、計測した第１立ち上がり時間ｔ1 及び検出したピーク値Ｐから正確なデッドタイムＴD を特定することが可能である。
【００３６】
なお、図１に示した放射線検出装置の機能構成は、最小限の機能構成であり、パルス処理装置２は、必要に応じて増幅部等のその他の機能部を更に備えた形態であってもよい。
【００３７】
（実施の形態２）
実施の形態２では、三角波信号の信号値がピーク値から閾値以下になるまでの第１立下り時間を用いてデッドタイムを特定する形態を示す。放射線検出装置及びパルス処理装置２の構成は実施の形態１と同様である。
【００３８】
図４に示すように、第１立下り時間ｔ2を底辺とし、ピーク値Ｐから閾値Ｌを減算した値を高さとする三角形と、第２立下り時間Ｔ2 を底辺としピーク値Ｐを高さとする三角形とは、相似である。従って、第１立下り時間ｔ2 と第２立下り時間Ｔ2 との比は、ピーク値Ｐから閾値Ｌを減算した値とピーク値Ｐとの比で表され、第２立下り時間Ｔ2 は、下記の（５）式で表される。
Ｔ2＝ｔ2・Ｐ／（Ｐ−Ｌ）    …（５）
【００３９】
三角波信号の波形が二等辺三角形である場合は、第２立ち上がり時間Ｔ1 は第２立下り時間Ｔ2 と同じ値である。また、デッドタイムＴD は、第２立ち上がり時間Ｔ1 及び第２立下り時間Ｔ2 を合計した時間に更に第２立ち上がり時間Ｔ1 を加算した時間である。従って、デッドタイムＴD は、下記の（６）式で表される。
ＴD＝３ｔ2・Ｐ／（Ｐ−Ｌ）    …（６）
【００４０】
三角波信号の立ち上がり時間に対する立下り時間の比率がＲである場合は、第２立ち上がり時間Ｔ1 は、第２立下り時間Ｔ2 の（１／Ｒ）倍である。従って、この場合のデッドタイムＴD は、下記の（７）式で表される。
ＴD＝（１＋２／Ｒ）ｔ2・Ｐ／（Ｐ−Ｌ）    …（７）
【００４１】
本実施の形態では、処理部２３は、実施の形態１でのＳ５の代わりに、第１立下り時間ｔ2 を計測する処理を行う。また、処理部２３は、Ｓ６で、第１立下り時間ｔ2 及びピーク値Ｐから（６）式又は（７）式に従って得られるデッドタイムＴD を特定する処理を行う。この処理では、処理部２３は、記憶部２４が記憶しているルックアップテーブルから第１立下り時間ｔ2 及びピーク値Ｐの組み合わせに対応づけられたデッドタイムＴD の値を読み出すか、又は（６）式若しくは（７）式に従ってデッドタイムＴD を計算する。この形態においても、パルス処理装置２は、従来よりも正確なデッドタイムを特定することが可能であり、放射線検出の精度を向上させることができる。
【００４２】
なお、パルス処理装置２は、第１立ち上がり時間ｔ1 及び第１立下り時間ｔ2 の両方を計測する形態であってもよい。第２立ち上がり時間Ｔ1 は（２）式で表され、第２立下り時間Ｔ2 は（５）式で表されるので、この形態でのデッドタイムＴD は、下記の（８）式で表される。
ＴD＝（２ｔ1＋ｔ2）・Ｐ／（Ｐ−Ｌ）    …（８）
【００４３】
この形態では、処理部２３は、実施の形態１でのＳ５の代わりに、第１立ち上がり時間ｔ1 及び第１立下り時間ｔ2 を計測する処理を行う。また、処理部２３は、Ｓ６で、第１立ち上がり時間ｔ1 、第１立下り時間ｔ2 及びピーク値Ｐから（８）式に従って得られるデッドタイムＴD を特定する処理を行う。この形態においても、パルス処理装置２は、従来よりも正確なデッドタイムを特定することが可能であり、放射線検出の精度を向上させることができる。
【００４４】
（実施の形態３）
実施の形態３では、三角波信号の信号値が閾値を超えてから閾値以下になるまでの時間を用いてデッドタイムを特定する形態を示す。放射線検出装置及びパルス処理装置２の構成は実施の形態１と同様である。
【００４５】
図６は、実施の形態３においてデッドタイムを特定する方法を説明する説明図である。図６には、横軸を時間とし縦軸を信号値としたグラフを示している。実施の形態３においては、処理部２３は、第１立ち上がり時間ｔ1 及び第１立下り時間ｔ2 を合計した第１合計時間ｔ3 を計測する。第１合計時間ｔ3 は、三角波信号の信号値が閾値を超えてから閾値以下になるまでの時間である。第２立ち上がり時間Ｔ1 及び第２立下り時間Ｔ2 を合計した第２合計時間Ｔ3 は、三角波信号の信号値が信号基準から立ち上がってから信号基準へ戻るまでの時間であり、三角波信号の真の時間幅である。図６に示すグラフ上では、第１合計時間ｔ3 を底辺とし、ピーク値Ｐから閾値Ｌを減算した値を高さとする三角形と、第２合計時間Ｔ3 を底辺としピーク値Ｐを高さとする三角形とは、相似である。従って、第１合計時間ｔ3 と第２合計時間Ｔ3 との比はピーク値Ｐから閾値Ｌを減算した値とピーク値Ｐとの比で表され、第２合計時間Ｔ3 は下記の（９）式で表される。
Ｔ3＝ｔ3・Ｐ／（Ｐ−Ｌ）    …（９）
【００４６】
三角波信号の波形が二等辺三角形である場合は、第２立ち上がり時間Ｔ1 は第２合計時間Ｔ3 の１／２である。また、デッドタイムＴD は、第２合計時間Ｔ3 に第２立ち上がり時間Ｔ1 を加算した時間である。従って、デッドタイムＴD は、下記の（１０）式で表される。
ＴD＝（３／２）ｔ3・Ｐ／（Ｐ−Ｌ）    …（１０）
【００４７】
三角波信号の立ち上がり時間に対する立下り時間の比率がＲである場合は、第２立ち上がり時間Ｔ1 は第２合計時間Ｔ3 の１／（１＋Ｒ）である。従って、デッドタイムＴD は、下記の（１１）式で表される。
ＴD＝（１＋１／（１＋Ｒ））ｔ3 ・Ｐ／（Ｐ−Ｌ）    …（１１）
【００４８】
本実施の形態では、処理部２３は、実施の形態１でのＳ５の代わりに、第１合計時間Ｔ3 を計測する処理を行う。また、処理部２３は、Ｓ６で、第１合計時間Ｔ3 及びピーク値Ｐから（１０）式又は（１１）式に従って得られるデッドタイムＴD を特定する処理を行う。この処理では、処理部２３は、記憶部２４が記憶しているルックアップテーブルから第１合計時間Ｔ3 及びピーク値Ｐの組み合わせに対応づけられたデッドタイムＴD の値を読み出すか、又は（１０）式若しくは（１１）式に従ってデッドタイムＴD を計算する。この形態においても、パルス処理装置２は、従来よりも正確なデッドタイムを特定することが可能であり、放射線検出の精度を向上させることができる。
【００４９】
なお、以上の実施の形態１〜３においては、Ａ／Ｄ変換部２１及びＭＣＡ２５をパルス処理装置２の内部に備えた形態を示したが、本発明は、パルス処理装置２の外部にＡ／Ｄ変換部２１又はＭＣＡ２５を備えた形態であってもよい。また、放射線検出装置は、分析部３を備えていない形態であってもよい。また、実施の形態１〜３においては、デッドタイムを用いて放射線検出時の経過時間を補正する処理をパルス処理装置２で行う形態を示したが、放射線検出装置は、デッドタイムを用いて放射線検出時の経過時間を補正する処理をパルス処理装置２の外部で行う形態であってもよい。
【符号の説明】
【００５０】
１  放射線検出器
１１  放射線検出素子
１２  プリアンプ
２  パルス処理装置
２１  Ａ／Ｄ変換部
２２  フィルタ部（変換部）
２３  処理部
２４  記憶部
２５  ＭＣＡ
３  分析部
【図１】
2015025717.tif 000003
【図２】
2015025717.tif 000004
【図３】
2015025717.tif 000005
【図４】
2015025717.tif 000006
【図５】
2015025717.tif 000007
【図６】
2015025717.tif 000008